(57)【特許請求の範囲】
【請求項１】
設置面に立設された脚部と、
前記脚部に第一の軸線周りに回転可能に支持された背凭れと、
を備えた椅子であって、
前記脚部及び前記背凭れのうち一方部材に設けられ、前記第一の軸線周りの回転方向のうち前後方向に沿う方向に対して交差する被支持面と、
前記脚部及び前記背凭れのうち他方部材に前記第一の軸線に平行な第二の軸線周りに回転可能に支持され、前記第二の軸線から側面までの距離が前記第二の軸線周りの周方向の位置により連続的に変化するカムと、
を備え、
前記カムの前記側面は、前記被支持面に接触して、前記被支持面を介して前記他方部材を支持する支持面を構成し、
前記カムは、前記第二の軸線周りの回転により前記側面における前記第二の軸線から最も離間した最遠面の位置が、前後方向に連続的に変化することで、前記脚部に対する前記背凭れの前記第一の軸線周りの位置を調節可能であることを特徴とする椅子。
【請求項２】
前記一方部材には、内面の一部が前記被支持面である貫通孔が形成され、
前記貫通孔内に配置された前記カムの前記側面が、前記貫通孔の前記被支持面に接触することを特徴とする請求項１に記載の椅子。
【請求項３】
設置面に立設された脚部と、
前記脚部に第一の軸線周りに回転可能に支持された背凭れと、
を備えた椅子であって、
前記脚部及び前記背凭れのうち一方部材に設けられ、前記第一の軸線周りの回転方向のうち前後方向に対して交差する被支持面と、
前記脚部及び前記背凭れのうち他方部材に設けられた支持ネジと、
前記支持ネジの雌ネジ部に螺合される雄ネジ部を有し、前記支持ネジに対して前後方向に移動可能に支持されたネジ部材と、
を備え、
前記ネジ部材の先端面は、前記被支持面に接触して、前記被支持面を介して前記一方部材を支持する支持面を構成し、
前記ネジ部材は、前記支持ネジに対する前記先端面の位置が前後方向に連続的に変化することで、前記脚部に対する前記背凭れの前記第一の軸線周りの位置を調節可能であることを特徴とする椅子。
【請求項４】
前記支持面は、前記第一の軸線よりも下方に配置されていることを特徴とする請求項１から請求項３のいずれか一項に記載の椅子。
【請求項５】
前記脚部に対する前記背凭れの前記第一の軸線周りの位置を固定するとともに、この固定を解除可能な固定部を備えることを特徴とする請求項１から４のいずれか一項に記載の椅子。
【発明の詳細な説明】
【技術分野】
【０００１】
本発明は、椅子に関する。
【背景技術】
【０００２】
従来、劇場、講堂、及び待合室等において、椅子を左右方向に並べるとともに左右方向に隣り合う椅子同士を連結させて用いている。この種の椅子として、例えば特許文献１及び２に記載されたものが知られている。
【０００３】
特許文献１及び２に記載された椅子では、左右方向に並べられた一対の脚部材（脚部）同士の間の空間が、背凭れの配設空間とされている。具体的には、背凭れは、その下端部における左右方向両端部を対向する一対の脚部材の各々に固着されることによって、一対の脚部材間に架設されている。
【先行技術文献】
【特許文献】
【０００４】
【特許文献１】実用新案登録第２５９７１９３号公報
【特許文献２】特開２０１４−８３３９０号公報
【特許文献３】実公平１−１６４５１号公報
【発明の概要】
【発明が解決しようとする課題】
【０００５】
ところで、この種の椅子が設置された施設（建物）では、施設の刷新を行う場合に、施設の躯体構造の刷新を行うことなく、椅子だけが交換される場合がある。躯体の床面（設置面）は、施工誤差や経年使用によって椅子の設置位置ごとに細かな寸法の差が生じることが避けられない。床面の寸法が異なると、椅子の設置時に、椅子間で背凭れの傾きがわずかに異なり、椅子の背凭れの上端部の前後方向の位置が、左右方向に並べられた複数の椅子間でずれてしまうという問題がある。
椅子の背凭れの位置がずれると、施設内で並べられた複数の椅子の外観が損なわれる。
【０００６】
特許文献３に記載された椅子は、背凭れに背凭れ送り金具を設けている。肘掛けに固定された中板には、支軸ボルトが取付けられている。背凭れ送り金具の上部に支軸ボルトを挿通するボルト孔を設け、背凭れ送り金具を摺動可能に支持している。
背凭れ送り金具には、支軸ボルトを中心とする円弧長孔が設けられている。中板に設けた孔部と円弧長孔とにボルトを挿通しナット掛けにより、背凭れ送り金具はこの円弧長孔の長さを限度として、揺動することができる。
【０００７】
着座しない状態では内部の引きバネによる弾性力で座席と背凭れはそれぞれ縮寸状態の現姿勢を維持している。子供等が座席に着座し背凭れに寄り掛かると、背凭れは背凭れ送り金具における支軸ボルトを中心とする揺動により、後方に傾く。これにより、椅子全体が前後方向に拡寸する。
したがって、椅子の不使用時おける前後の座席間における横方向の通路スペースが充分に確保されて、異常事態発生時の歩行困難による二次災害が未然に防止できる。
【０００８】
この特許文献３に開示された椅子の円弧長孔、孔部、ボルト、及びナットの構成を応用して、脚部材に対して背凭れを回転可能な構造とすることにより、前述の背凭れの位置ずれの問題を解決することが考えられる。すなわち、脚部材に円弧長孔を形成し、背凭れに孔部を形成する。円弧長孔及び孔部を挿通したボルトと、このボルトに螺合するナットで脚部材及び背凭れを挟み込むことにより、脚部材に背凭れを固定する。
このように構成された椅子では、ボルト及びナットの螺合を緩め、背凭れの傾きを調節して、背凭れの上端部の前後方向の位置を調節する。ボルト及びナットをきつく締めて、脚部材に背凭れを固定する。
【０００９】
しかしながら、このように構成された椅子では、一対の脚部材に対して背凭れが回転する回転方向に平行な面を有するボルト及びナットで脚部材及び背凭れを挟んでいる。このため、ボルト及びナットの螺合が緩くなったときに、ボルト及びナットと脚部材、背凭れとの間に作用する摩擦力が低下する。ボルト及びナットに対して脚部材、背凭れが滑り、背凭れの前後方向の位置がずれる恐れがあり、背凭れの正確な調節が困難になる。
背凭れの調節作業を行うときに、片手で背凭れを保持し、片手でボルトをナットに締め込むという体勢を採らざるを得ない。このため、作業中に背凭れの位置がずれることによって、背凭れの正確な位置出しが困難になると考えられる。
【００１０】
また、特に劇場等の観覧施設においては、観覧施設内の領域別に配置されている椅子の背凭れの角度を変えることが望ましい場合がある。例えば、観覧施設が、前方にステージがある劇場である場合、前方の領域に配置された椅子の背凭れが倒れていても、椅子に着座する着座者のステージの視認性に問題はない。しかし、後方の領域に配置された椅子の背凭れは、起き気味になっていた方がステージを視認しやすくなる。
【００１１】
本発明は、このような問題点に鑑みてなされたものであって、脚部に対する背凭れの上端部の前後方向の位置を正確に調節可能な椅子を提供することを目的とする。
【課題を解決するための手段】
【００１２】
上記課題を解決するために、この発明は以下の手段を提案している。
発明本の椅子は、設置面に立設された脚部と、前記脚部に第一の軸線周りに回転可能に支持された背凭れと、を備えた椅子であって、前記脚部及び前記背凭れのうち一方部材に設けられ、前記第一の軸線周りの回転方向のうち前後方向に沿う方向に対して交差する被支持面と、前記脚部及び前記背凭れのうち他方部材に前記第一の軸線に平行な第二の軸線周りに回転可能に支持され、前記第二の軸線から側面までの距離が前記第二の軸線周りの周方向の位置により連続的に変化するカムと、を備え、前記カムの前記側面は、前記被支持面に接触して、前記被支持面を介して前記他方部材を支持する支持面を構成し、前記カムは、前記第二の軸線周りの回転により前記側面における前記第二の軸線から最も離間した最遠面の位置が、前後方向に連続的に変化することで、前記脚部に対する前記背凭れの前記第一の軸線周りの位置を調節可能であることを特徴としている。
この発明によれば、脚部及び背凭れの一方には回転方向に交差する被支持面が形成され、脚部及び背凭れの他方に支持された調節部の支持面が被支持面に接触することにより、被支持面を支持している。このため、支持面と被支持面との間に作用する摩擦力の大きさに関わらず、支持面により被支持面が回転方向に確実に支持される。
したがって、背凭れに荷重を入力することによって、背凭れにおける第一の軸線周りに回動可能に支持された部位から離間した部位が、回転方向に変位しようとするのを抑え、脚部に対する背凭れの位置を安定させることができる。
【００１３】
調節部は、被支持面に交差する方向に連続的に支持面の位置を調節可能であるため、被支持面の回転方向の位置を調節して、脚部に対する背凭れの上端部の前後方向の位置を調節すると、支持面により被支持面の回転方向の位置が確実に支持される。したがって、脚部に対する背凭れの上端部の前後方向の位置を正確に調節することができる。
すなわち、背凭れにおける軸支された部位から離間した部位の回転方向の位置を調整する構成でありながら、位置調整と同時に、位置の固定も行うことができる構成である。したがって、作業中の脚部と背凭れとの回転方向における位置ずれの可能性を低減することができる。
カムを第二の軸線周りに回転させることで、カムの側面における被支持面を支持する支持面の位置が連続的に回転方向に変化する。したがって、カムという簡単な構成で、脚部に対する背凭れの前後方向の位置を正確に調節することができる。
また、上記の椅子において、前記一方部材には、内面の一部が前記被支持面である貫通孔が形成され、前記貫通孔内に配置された前記カムの前記側面が、前記貫通孔の前記被支持面に接触してもよい。
この発明によれば、カムが貫通孔内に配置されていることで、回転方向の両側からカムの側面に対して貫通孔の内面が接触する。したがって、脚部に対する背凭れの前後方向の位置をより安定させることができる。
本発明の椅子は、設置面に立設された脚部と、前記脚部に第一の軸線周りに回転可能に支持された背凭れと、を備えた椅子であって、前記脚部及び前記背凭れのうち一方部材に設けられ、前記第一の軸線周りの回転方向のうち前後方向に対して交差する被支持面と、前記脚部及び前記背凭れのうち他方部材に設けられた支持ネジと、前記支持ネジの雌ネジ部に螺合される雄ネジ部を有し、前記支持ネジに対して前後方向に移動可能に支持されたネジ部材と、を備え、前記ネジ部材の先端面は、前記被支持面に接触して、前記被支持面を介して前記一方部材を支持する支持面を構成し、前記ネジ部材は、前記支持ネジに対する前記先端面の位置が前後方向に連続的に変化することで、前記脚部に対する前記背凭れの前記第一の軸線周りの位置を調節可能であることを特徴としている。
【００１４】
また、上記の椅子において、前記支持面は、前記第一の軸線よりも下方に配置されていてもよい。
この発明によれば、着座者が支持面を視認しにくくすることができる。また、被支持面をより下方で安定的に支持面で支持することができる。
【００１７】
また、上記の椅子において、前記脚部に対する前記背凭れの前記第一の軸線周りの位置を固定するとともに、この固定を解除可能な固定部を備えてもよい。
この発明によれば、脚部に対する背凭れの上端部の前後方向の位置を調節した後で、固定部により脚部と背凭れとの第一の軸線周りの位置を固定することができるので、背凭れに荷重が入力された場合に、調節部に第一の軸線周りの回転方向のモーメントが作用するのを防止することができる。したがって、背凭れの脚部に対する位置をより安定化することができる。
【発明の効果】
【００１８】
本発明の椅子によれば、脚部に対する背凭れの上端部の前後方向の位置を正確に調節することができる。
【図面の簡単な説明】
【００１９】
【図１】本発明の第１実施形態の椅子が左右方向に連結された状態の斜視図である。
【図２】同椅子の側面の断面図である。
【図３】図２のＩＩＩ−ＩＩＩ線に相当する断面図である。
【図４】図２のＩＶ−ＩＶ線に相当する断面図である。
【図５】図２のＶ−Ｖ線に相当する断面図である。
【図６】同椅子の回転支持部の正面図である。
【図７】同椅子の要部の断面図である。
【図８】同椅子の脚部に形成された貫通孔及びカムの正面図である。
【図９】同椅子において回転させたカムの位置の一例を示す図である。
【図１０】同椅子において回転させたカムの位置の他の例を示す図である。
【図１１】本発明の第２実施形態の椅子の要部の断面図である。
【発明を実施するための形態】
【００２０】
（第１実施形態）
以下、本発明に係る椅子の第１実施形態を、図１から１０を参照しながら説明する。
本実施形態に係る椅子は、劇場や講堂、待合室等において連結して設置される互いに連結可能な椅子である。なお、以下の説明において、前後、左右、上下の各呼称は、座に正規姿勢で着座した着座者を基準とした向きである。また、以下の説明では、正規姿勢で着座した着座者の「前方」を図中矢印ＦＲで示し、「上方」を図中矢印ＵＰで示し、「左方」を図中矢印ＬＨで示す。
【００２１】
図１に示すように、本実施形態の椅子１は、施設の床面（設置面）Ｆに固定されている。図１及び２に示す例では、椅子１は左右方向に複数並んだ状態で連結されている。椅子１は、床面Ｆに立設され左右方向に複数並べて配置された脚部１０と、左右方向に隣り合う一対の脚部１０の間に配置された座２５と、脚部１０に第一の軸線Ｃ１周りに回転可能に支持された背凭れ３５と、を備えている。
以下では、複数並べられた椅子１のうち左右方向のそれぞれの端部に配置されたものを椅子１Ａと称し、一対の椅子１Ａの間に配置されたものを椅子１Ｂと称する。また、椅子１Ａ及び椅子１Ｂを区別なく椅子１と総称することがある。
【００２２】
左右方向に隣り合う椅子１は、脚部１０を共有している。
脚部１０は、床面Ｆに配置された脚本体１２と、脚本体１２の上部に取り付けられた肘掛け部１３とを有している。
脚本体１２は、鉄板等で形成されている。肘掛け部１３は、樹脂や木等で形成されている。
脚本体１２には、図２から５に示す挿通孔１２ａ、１２ｂ、貫通孔１２ｃ、１２ｄが上方から下方に向かって順に形成されている。貫通孔１２ｃ、１２ｄは、挿通孔１２ａよりも前方に形成されている。
挿通孔１２ａ、１２ｂは、例えば円柱状に形成されている。
【００２３】
図８に示すように、貫通孔１２ｃは、脚本体１２の厚さ方向（左右方向）に見たときに、例えば中心角が１８０°の円弧１４ａ、１４ｂの端部を線分１４ｃ、１４ｄで接続したいわゆる長円形状に形成されている。線分１４ｃ、１４ｄは互いに平行であり、線分１４ｃ、１４ｄ間の距離は、円弧１４ａ、１４ｂの直径に等しい。貫通孔１２ｃは、脚本体１２を第一の軸線Ｃ１に沿って延びるように貫通している。
挿通孔１２ａの中心軸線と貫通孔１２ｃの中心軸線とを結ぶ方向と、貫通孔１２ｃの長軸とが平行になるように、貫通孔１２ｃが形成されている。
貫通孔１２ｃの内面のうち、第一の軸線Ｃ１周りの回転方向Ｘに対して直交（交差）する面が、第一の被支持面（被支持面）１２ｃ１、第二の被支持面（被支持面）１２ｃ２である。第一の被支持面１２ｃ１は、貫通孔１２ｃの内面のうち前方に形成されたものであり、第二の被支持面１２ｃ２は、貫通孔１２ｃの内面のうち後方に形成されたものである。
【００２４】
なお、貫通孔１２ｃは、背凭れ３５とこの背凭れ３５の左方に配置された脚部１０との間で背凭れ３５の位置を調節するためのものである。貫通孔１２ｄは、背凭れ３５とこの背凭れ３５の右方に配置された脚部１０との間で背凭れ３５の位置を調節するためのものである。
貫通孔１２ｄは、貫通孔１２ｃと同一の形状に形成されている。
【００２５】
左右方向に複数並べられた脚部１０のうち、座２５に対向する脚本体１２の側面には、図６に示す回転支持部１５が図示しないネジ等の固定手段によりそれぞれ固定されている。なお、これらの回転支持部１５は、左右方向に直交する仮想面に対して面対称に形成されている。
一方で、左右方向のそれぞれの端部に配置された脚部１０には、左方及び右方の側面のうち座２５が配置された側の側面にだけ、回転支持部１５が固定されている。
【００２６】
回転支持部１５は、前後方向に延びる支持壁１５ａと、支持壁１５ａの後方の端部から上方に向かって折曲された後部壁１５ｂと、後部壁１５ｂの上方の端部から前方に向かって折曲された上部壁１５ｃと、支持壁１５ａの前方の端部から上方に向かって折曲された前部壁１５ｄと、を有している。上部壁１５ｃは、前方から後方に向かうにしたがってしだいに支持壁１５ａに近接するように形成されている。上部壁１５ｃの前方の端部と前部壁１５ｄの上方の端部との間は、前方に開口する開口１５ｅとされている。
【００２７】
回転支持部１５内には、規制部材１７が配置されている。
規制部材１７は、左右方向に見たときに、前方から後方に向かうにしたがい上下方向における幅寸法がしだいに縮幅するくさび形のブロック状に形成されている。規制部材１７は、開口１５ｅを前方から後方に向かって挿通されている。規制部材１７は、上部壁１５ｃの下面と、後述する支持軸２９の上面と、に当接した状態で、ボルト等の締結部材１８により後部壁１５ｂに対して締結固定されている。これにより、支持軸２９の回転支持部１５からの脱落を規制している。
【００２８】
図１及び２に示すように、座２５は、着座面２６ａを形成する座クッション２６と、座クッション２６を支持する不図示の座フレームと、座フレームにおける着座面２６ａとは反対側の裏面を覆う裏面パネル２７と、を有する。座クッション２６は、クッション材２６ｂを表皮２６ｃで覆った構成を有する。
【００２９】
座２５には、支持軸２９が取り付けられている。支持軸２９は、例えば金属材料により、角筒状に形成されている。支持軸２９は、左右方向に沿うように配置され、座２５を左右方向に貫通している。支持軸２９は、使用状態の座２５（図２における実線で示す状態。）の後側にある座２５の基端部２５ａにおいて、座フレームに対して回動軸Ｃ２周りに回動可能となるように、座フレームを支持している。回動軸Ｃ２は、支持軸２９の中心軸と一致している。
支持軸２９の周囲には、支持軸２９に対して座フレームを所定方向に付勢することで、座２５を不使用状態の位置（図２における二点鎖線で示す位置Ｐ１）へ跳ね上げるように回動させる不図示の座付勢機構が設けられる。支持軸２９の両端部は、座２５を挟むように配置された一対の脚部１０に設けられた回転支持部１５に固定されている。
【００３０】
図１及び２に示すように、背凭れ３５は、座２５の後方の端部の上方に起立する背凭れ面３６ａを形成する背クッション３６と、背クッション３６を後方から支持する背ベース板３７と、背ベース板３７の左右方向のそれぞれの端部であって背ベース板３７よりも後方に設けられた補強板３８（一方の補強板３８は不図示）と、を備える。
なお、補強板３８は背ベース板３７よりも前方に設けられていてもよい。また、背凭れ３５が補強板３８を備えず、背ベース板３７に後述するカム４５等が取付けられていてもよい。
背クッション３６は、クッション材３６ｂを表皮３６ｃで覆った構成を有する。
背凭れ面３６ａは、下方の部分を除くと、上方に向かうにしたがって後方に傾く傾斜面となっている。
【００３１】
図３に示すように、脚部１０を共有する左右方向に隣り合う例えば椅子１Ａ、１Ｂの一方の背凭れ３５の補強板３８（例えば、椅子１Ｂの補強板３８）には、支持ナット４１が埋め込まれ、他方の背凭れ３５の補強板３８（例えば、椅子１Ａの補強板３８）には、挿通孔３８ａが形成されている。
椅子１Ａの補強板３８と椅子１Ｂの補強板３８とは、共有する脚部１０の脚本体１２を挟むように配置されている。支持ナット４１は、椅子１Ｂの補強板３８の上下方向の中間部に埋め込まれている。挿通孔３８ａは、椅子１Ａの補強板３８の上下方向の中間部に形成されている。
【００３２】
なお、椅子１Ｂの補強板３８に挿通孔３８ａが形成され、椅子１Ａの補強板３８に支持ナット４１が埋め込まれるように構成してもよい。
また、脚部１０の脚本体１２に、第一の軸線Ｃ１上に第一の軸線Ｃ１に沿って位置をずらして２つの支持ナット４１が埋め込まれていてもよい。この場合、脚本体１２に埋め込まれた２つの支持ナット４１のうち、一方の支持ナット４１と支持ネジ４２とを用いて、脚部１０に対して椅子１Ａの背凭れ３５を回転可能に支持する。同様に、他方の支持ナット４１と支持ネジ４２とを用いて、脚部１０に対して椅子１Ｂの背凭れ３５を回転可能に支持する。
【００３３】
支持ネジ４２の軸部４２ａを補強板３８に挿通孔３８ａ及び脚部１０の挿通孔１２ａに挿通させるとともに、軸部４２ａの外周面に形成された雄ネジ部４２ｂを支持ナット４１の雌ネジ部４１ａに螺合させる。支持ナット４１と支持ネジ４２の頭部４２ｃとで脚本体１２及び椅子１Ａの補強板３８をきつく締め付けないことで、共有する脚部１０に対して椅子１Ａ、１Ｂの背凭れ３５は第一の軸線Ｃ１周りに回転することができる。
なお、支持ナット４１と支持ネジ４２とが緩まないように、公知の緩み止め機構を設けることが好ましい。また、脚部１０に背凭れ３５を第一の軸線Ｃ１周りに回転可能に支持する構成はこれに限定されず、ボールベアリング構造等、所望のものを適宜選択して用いることができる。
【００３４】
図７に示すように、複数の椅子１で共有されない脚部１０については、例えば、椅子１Ａの補強板３８に支持ナット４１が埋め込まれている。支持ネジ４２の軸部４２ａを脚部１０の挿通孔１２ａに挿通させるとともに、軸部４２ａの雄ネジ部４２ｂを支持ナット４１の雌ネジ部４１ａに螺合させる。支持ナット４１と支持ネジ４２の頭部４２ｃとで脚本体１２をきつく締め付けないことで、脚部１０に対して椅子１Ａの背凭れ３５は第一の軸線Ｃ１周りに回転することができる。
【００３５】
図５に示すように、椅子１の補強板３８における支持ナット４１が埋め込まれている部分よりも下方の部分には、支持ナット４４が埋め込まれている。支持ナット４４の軸線が、第二の軸線Ｃ３となる。第二の軸線Ｃ３は、前述の第一の軸線Ｃ１に平行である。脚本体１２の貫通孔１２ｃ内には、図５及び８に示すカム（調節部）４５が配置されている。この例では、カム４５は、カム４５の厚さ方向に見たときに円形となる板状に形成されている。カム４５は、鉄板等で形成されている。カム４５に適宜ワッシャ等を重ね、カム４５及びワッシャの全体としての厚さと脚本体１２の厚さとがほぼ等しくなるようにしてもよい。
カム４５には、すり鉢状の挿通孔４５ａと、円柱状の一対の挿通孔４５ｂとが形成されている。円形であるカム４５の中心軸線Ｃ６と、挿通孔４５ａの中心軸線Ｃ７とはずれている。カム４５の外径は、カム４５の周方向の位置によらず貫通孔１２ｃの円弧１４ａの直径にほぼ等しい。
一対の挿通孔４５ｂは、挿通孔４５ａを挟むように形成されている。
【００３６】
支持ネジ４６の軸部４６ａをカム４５の挿通孔４５ａに挿通させるとともに、軸部４６ａの雄ネジ部４６ｂを支持ナット４４の雌ネジ部４４ａに螺合させる。このとき、支持ナット４４と支持ネジ４６の頭部４６ｃとでカム４５をきつく締め付けておく。第二の軸線Ｃ３とカム４５の中心軸線Ｃ７とが一致する。
【００３７】
ただし、例えば治具Ｄ等を用いることで、カム４５を背凭れ３５に対して第二の軸線Ｃ３周り回転させることができる。この治具Ｄには、一対の突起Ｄ１が形成されている。カム４５の各挿通孔４５ｂに治具Ｄの突起Ｄ１を挿通し、治具Ｄを第二の軸線Ｃ３周り回転させることで、カム４５を第二の軸線Ｃ３周り回転させることができる。
このように、カム４５は通常は摩擦力により背凭れ３５に固定されているが、治具Ｄを用いることで、背凭れ３５に対してカム４５を第二の軸線Ｃ３周りに回転移動させることができる。すなわち、カム４５は、背凭れ３５に第二の軸線Ｃ３周りに回転移動可能に支持されている。なお、本明細書で言う移動には、回転移動及び平行移動が含まれる。
第二の軸線Ｃ３からカム４５の側面（支持面）４５ｃまでの距離は、カム４５の周方向の位置により連続的に変化する。
図８に示すカム４５の基準位置では、カム４５の側面４５ｃにおける第二の軸線Ｃ３からの距離が最も離間した最遠面４５ｃ１は、カム４５の中心軸線Ｃ７対して第一の軸線Ｃ１とは反対側に配置されている。カム４５の側面４５ｃは、第一の軸線Ｃ１よりも下方に配置されている。
【００３８】
カム４５の外径はカム４５の周方向の位置によらず一定であるため、カム４５の側面４５ｃは、貫通孔１２ｃの第一の被支持面１２ｃ１及び第二の被支持面１２ｃ２に接触する。すなわち、回転方向Ｘの両側からカム４５の側面４５ｃに対して貫通孔１２ｃの被支持面１２ｃ１、１２ｃ２が接触する。
この回転方向Ｘは、カム４５の側面４５ｃに交差する方向となる。
【００３９】
基準位置にあるカム４５を、第二の軸線Ｃ３周りに時計回りに９０°回転させると、図９に示すように最遠面４５ｃ１が前方にくることで、第一の軸線Ｃ１を回転の中心としてカム４５が設けられた背凭れ３５が後方に移動し、背凭れ３５が図２に示す位置Ｐ３に配置される。すなわち、背凭れ３５の上端部が前方に移動する。このとき、最遠面４５ｃ１が第一の被支持面１２ｃ１に接触する。
なお、カム４５を時計回りに回転させる角度を０°よりも大きく９０°未満にすることで、背凭れ３５の上端部が前方に移動する位置を連続的に調節することができる。
位置Ｐ３までの背凭れ３５の回転角度は、貫通孔１２ｃの大きさ及びカム４５の大きさを変更することで適宜設定可能である。
【００４０】
一方で、基準位置にあるカム４５を、第二の軸線Ｃ３周りに反時計回りに９０°回転させると、図１０に示すように最遠面４５ｃ１が後方にくることで、第一の軸線Ｃ１を回転の中心としてカム４５が設けられた背凭れ３５が前方に移動し、背凭れ３５が図２に示す位置Ｐ４に配置される。すなわち、背凭れ３５の上端部が後方に移動する。このとき、最遠面４５ｃ１が第二の被支持面１２ｃ２に接触する。
なお、カム４５を反時計回りに回転させる角度を０°よりも大きく９０°未満にすることで、背凭れ３５の上端部が後方に移動する位置を連続的に調節することができる。
位置Ｐ４までの背凭れ３５の回転角度は、貫通孔１２ｃの大きさ及びカム４５の大きさを変更することで適宜設定可能である。
【００４１】
このように、カム４５は、第二の軸線Ｃ３周りに回転することで、回転方向Ｘに連続的に側面４５ｃの位置を調節可能である。
脚部１０の貫通孔１２ｃ内のカム４５により、背凭れ３５とこの背凭れ３５の左方に配置された脚部１０との間で背凭れ３５の位置が調節される。
図示はしないが、貫通孔１２ｄ内にもカム４５が配置され、このカム４５により、背凭れ３５とこの背凭れ３５の右方に配置された脚部１０との間で背凭れ３５の位置が調節される。
【００４２】
図４に示すように、椅子１の補強板３８における支持ナット４１が埋め込まれている部分と支持ナット４４が埋め込まれている部分との間には、支持ナット４８が埋め込まれている。支持ネジ４９の軸部４９ａを脚部１０の挿通孔１２ｂに挿通させるとともに、軸部４９ａの雄ネジ部４９ｂを支持ナット４８の雌ネジ部４８ａに螺合させる。支持ナット４８及び支持ネジ４９で、固定部５０を構成する。
背凭れ３５の上端部の前後方向の位置を調節するときには、支持ナット４８と支持ネジ４９との螺合を緩め、脚部１０と背凭れ３５との固定を解除しておく。背凭れ３５の位置を調節し終えたら、支持ナット４８に支持ネジ４９をきつく締め付け、脚部１０と背凭れ３５との第一の軸線Ｃ１周りの位置を固定する。
なお、椅子１に挿通孔１２ｂが形成されず、椅子１が支持ナット４８及び支持ネジ４９を備えなくてもよい。
背凭れ３５は、左右方向のそれぞれの端部が脚部１０の支持ネジ４２、カム４５等により支持されている。
【００４３】
次に、以上のように構成された椅子１の作用について説明する。
椅子１の通常の使用においては、カム４５の側面４５ｃは、第一の軸線Ｃ１よりも下方に配置されているため、側面４５ｃが第一の軸線Ｃ１よりも上方に配置されている場合に比べて、椅子１に着座する着座者がカム４５の側面４５ｃを視認しにくくなる。カム４５が目立たないので、カム４５が不用意に操作されるのが防止される。
【００４４】
椅子１を調節するときには、左右方向に複数並んだ椅子１の背凭れ３５の上端部の前後方向の位置を確認し、背凭れ３５の位置を調節すべき椅子１を特定する。
必要に応じて、特定した椅子１の脚部１０の回転支持部１５から規制部材１７及び支持軸２９を取外し、椅子１から座２５を取り外して作業をしやすくする。
特定した椅子１の固定部５０である支持ナット４８と支持ネジ４９との螺合を緩める。
脚部１０には、回転方向Ｘに直交する被支持面１２ｃ１、１２ｃ２が形成されている。そして、背凭れ３５に支持されたカム４５の側面４５ｃが被支持面１２ｃ１、１２ｃ２に接触することにより、被支持面１２ｃ１、１２ｃ２を支持している。このため、カム４５の側面４５ｃと被支持面１２ｃ１、１２ｃ２との間に作用する摩擦力の大きさに関わらず、側面４５ｃにより被支持面１２ｃ１、１２ｃ２が回転方向Ｘに確実に支持される。
カム４５の側面４５ｃは、第一の軸線Ｃ１よりも下方に配置されているため、脚部１０がより下方で安定的に側面４５ｃにより支持される。
【００４５】
特定した椅子１のカム４５に治具Ｄを取付ける。治具Ｄを操作してカム４５を第二の軸線Ｃ３周りに回転させ、複数の椅子１の背凭れ３５の上端部の前後方向の位置が揃うように調節する。
【００４６】
カム４５を第二の軸線Ｃ３周りに回転させることで、カム４５の側面４５ｃにおける脚部１０を支持する側面４５ｃの位置が連続的に回転方向Ｘに変化する。カム４５が貫通孔１２ｃ内に配置されていることで、回転方向Ｘの両側からカム４５の側面４５ｃに対して貫通孔１２ｃの被支持面１２ｃ１、１２ｃ２が接触する。
背凭れ３５の位置の調節が終わったら、特定した椅子１の支持ナット４８と支持ネジ４９とをきつく締め付け、脚部１０に対する背凭れ３５の位置を固定する。
なお、カム４５により、脚部１０と背凭れ３５との第一の軸線Ｃ１周りの位置を固定するとともに、この固定を解除可能となるように構成してもよい。すなわち、カム４５が固定部を兼ねてもよい。
【００４７】
以上説明したように本実施形態の椅子１によれば、脚部１０には回転方向Ｘに交差する第一の被支持面１２ｃ１が形成され、背凭れ３５に支持されたカム４５の側面４５ｃが第一の被支持面１２ｃ１に接触することにより、第一の被支持面１２ｃ１を支持している。このため、側面４５ｃと第一の被支持面１２ｃ１との間に作用する摩擦力の大きさに関わらず、側面４５ｃにより第一の被支持面１２ｃ１が回転方向Ｘに確実に支持される。
カム４５は、回転方向Ｘに連続的に側面４５ｃの位置を調節可能であるため、第一の被支持面１２ｃ１の回転方向Ｘの位置を調節して、脚部１０に対する背凭れ３５の上端部の前後方向の位置を調節すると、側面４５ｃにより第一の被支持面１２ｃ１の回転方向Ｘの位置が確実に支持される。したがって、脚部１０に対する背凭れ３５の上端部の前後方向の位置を正確に調節することができる。
【００４８】
カム４５の側面４５ｃは第一の軸線Ｃ１よりも下方に配置されているため、着座者が側面４５ｃを視認しにくくすることができる。また、第一の被支持面１２ｃ１をより下方で安定的にカム４５の側面４５ｃで支持することができる。
背凭れ３５の位置の調節作業は、着座者が背凭れ３５の上端部ではなく、背凭れ３５の下端部を第一の軸線Ｃ１周りに回すという作業になる。したがって、着座者及び施工作業者の両者に対して、安全性を高めることができる。
【００４９】
調節部はカム４５であるため、カムという簡単な構成で、脚部１０に対する背凭れ３５の前後方向の位置を正確に調節することができる。
脚部１０に形成された貫通孔１２ｃ内にカム４５が配置されていることで、回転方向の両側からカム４５の側面４５ｃに対して貫通孔１２ｃの内面が接触する。したがって、脚部１０に対する背凭れ３５の前後方向の位置をより安定させることができる。
脚部１０に対する背凭れ３５の上端部の前後方向の位置を調節した後で、固定部５０により脚部１０と背凭れ３５との第一の軸線Ｃ１周りの位置を固定することができる。
【００５０】
なお、本実施形態では、第一の被支持面１２ｃ１が設けられる脚部及び背凭れの一方が脚部１０であり、カム４５が支持される脚部及び背凭れの他方が背凭れ３５であるとした。しかし、脚部及び背凭れの一方が背凭れ３５であり、脚部及び背凭れの他方が脚部１０であるとしてもよい。この場合、脚部１０にカム４５が設けられ、背凭れ３５に貫通孔１２ｃ等が形成される。この貫通孔１２ｃ等は、背凭れ３５の補強板３８に形成してもよいが、背凭れ３５が補強板３８を備えない場合には、背ベース板３７を厚くして背ベース板３７に形成してもよい。
カム４５は厚さ方向に見たときに円形に形成されているとしたが、カムの形状はこれに限定されず、略円形、楕円形、及び、ルーローの多角形（正奇数角形）の形状であってもよい。
カム４５は脚本体１２の貫通孔１２ｃ内に配置されず、脚本体１２の側面に接触することで脚部１０を支持するように構成してもよい。
【００５１】
（第２実施形態）
次に、本発明の第２実施形態について図１１を参照しながら説明するが、前記実施形態と同一の部位には同一の符号を付してその説明は省略し、異なる点についてのみ説明する。
図１１に示すように、本実施形態の椅子２は、第１実施形態の貫通孔１２ｃ、１２ｄ、支持ナット４４、カム４５、及び支持ネジ４６に代えて、ネジ部材（調節部）５５及び支持ネジ５６を備えている。
【００５２】
支持ネジ５６は、支持ネジ５６の中心軸線Ｃ１０が回転方向Ｘに略平行になるように、脚部１０の脚本体１２に取付けられている。ネジ部材５５の操作が容易になるように、脚本体１２に切欠き１２ｆ等が形成されていることが好ましい。
ネジ部材５５は、軸部５５ａの外周面に雄ネジ部５５ｂが形成されている。この軸部５５ａの先端面５５ｃが、支持面となる。
ネジ部材５５の雄ネジ部５５ｂは、支持ネジ５６に形成された雌ネジ部５６ａに螺合する。ネジ部材５５の先端面５５ｃは、回転方向Ｘに略直交する位置に配置される。雌ネジ部５６ａに螺合する雄ネジ部５５ｂの位置が変わることで、支持ネジ５６は脚部１０に対して回転方向Ｘに連続的に先端面５５ｃの位置を調節することができる。すなわち、ネジ部材５５は、脚部１０に回転方向Ｘに移動可能に支持されている。
【００５３】
ネジ部材５５の先端面５５ｃは、背凭れ３５の補強板３８に設けられた突部３８ｂ等に形成された被支持面３８ｃに接触する。ネジ部材５５を回転方向Ｘに移動させたときに、ネジ部材５５の先端面５５ｃは、背凭れ３５の被支持面３８ｃを支持した状態で、背凭れ３５の回転方向Ｘの位置を連続的に調節可能である。
【００５４】
以上説明したように、本実施形態の椅子２によれば、脚部１０に対する背凭れ３５の上端部の前後方向の位置を正確に調節することができる。
また、脚部１０の支持ネジ５６に螺合するネジ部材５５の回転方向Ｘの位置を調節することで、軸部５５ａの先端面５５ｃの回転方向Ｘの位置が連続的に変化する。ネジ部材５５という簡単な構成で、脚部１０に対する背凭れ３５の前後方向の位置を正確に調節することができる。
【００５５】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態及び第２実施形態では、左右方向に隣り合う椅子が脚部１０を共有しなくてもよい。この場合、いずれの椅子においても、脚部１０に背凭れ３５が第一の軸線Ｃ１周りに回転可能に支持される構造は、図７のようになる。
【００５６】
また、椅子が、特開２０１５−０００１８２号公報に記載されているように、一対の補強板３８同士を連結するとともに、背ベース板３７よりも後方に位置する背面板を備えてもよい。さらに、一対の補強板３８、背ベース板３７、及び背面板により形成された収納箱体に、第一の軸線Ｃ１と略平行をなす軸線回りに回動することによって、使用状態へ移行するテーブルが収納されているとする。
この場合は、収納箱体に対するテーブルの相対位置が調節可能であるだけでなく、脚部１０に対する背凭れ３５の相対位置が調節可能である。したがって、椅子におけるテーブルの位置をより大きな範囲で調節できる。
【符号の説明】
【００５７】
１、２  椅子
１０  脚部
１２ｃ、１２ｄ  貫通孔
１２ｃ１  第一の被支持面（被支持面）
１２ｃ２  第二の被支持面（被支持面）
３５  背凭れ
３８ｃ  被支持面
４５  カム（調節部）
４５ｃ  側面（支持面）
５０  固定部
５５  ネジ部材（調節部）
５５ｃ  先端面（支持面）
Ｃ１  第一の軸線
Ｃ３  第二の軸線
Ｆ    床面（設置面）
Ｘ    回転方向
【図１】
0006670600.tif 000002
【図２】
0006670600.tif 000003
【図３】
0006670600.tif 000004
【図４】
0006670600.tif 000005
【図５】
0006670600.tif 000006
【図６】
0006670600.tif 000007
【図７】
0006670600.tif 000008
【図８】
0006670600.tif 000009
【図９】
0006670600.tif 000010
【図１０】
0006670600.tif 000011
【図１１】
0006670600.tif 000012